(57)【要約】【課題】エレベータ保守時に特定の条件を満たすことで、乗場釦灯が点灯している状態で乗場釦を押した場合に乗場釦灯を消灯させる機能を持たせ、マルチカーエレベータ等で乗場釦を点検する階で乗場釦が点灯している状態でも、乗場釦の接触不良確認をすることができるエレベータ乗場釦点検装置を得る。【解決手段】乗場呼び釦６と、乗場呼び釦が操作されると乗場呼びを登録し、乗場呼びが登録されると乗場呼び釦灯を点灯するエレベータ制御部２と、保守時にエレベータ制御部にアクセスして乗場呼び釦灯の点検モードに設定するモード設定装置３とを備え、モード設定装置により乗場呼び釦灯の点検モードに設定されたエレベータ保守時に特定の条件を満たすことで、乗場呼び釦灯が点灯している状態で乗場呼び釦を操作した場合に乗場呼び釦灯を消灯させる。【選択図】図１
2007153479.tif 000002
【特許請求の範囲】
【請求項１】
乗場呼び釦と、
前記乗場呼び釦が操作されると乗場呼びを登録し、前記乗場呼びが登録されると乗場呼び釦灯を点灯するエレベータ制御部と、
保守時に前記エレベータ制御部にアクセスして乗場呼び釦灯の点検モードに設定するモード設定装置とを備え、
前記モード設定装置により乗場呼び釦灯の点検モードに設定されたエレベータ保守時に特定の条件を満たすことで、前記乗場呼び釦灯が点灯している状態で乗場呼び釦を操作した場合に乗場呼び釦灯を消灯させることを特徴とするエレベータの乗場釦点検装置。
【請求項２】
マルチカーエレベータに適用したことを特徴とする請求項１記載のエレベータの乗場釦点検装置。
【請求項３】
エレベータ保守時に満たす特定の条件が、保守時に乗場呼びに応答しなくなる独立モード号機エレベータが停止している階であることを特徴とする請求項２記載のエレベータの乗場釦点検装置。
【発明の詳細な説明】
【技術分野】
【０００１】
この発明は、エレベータ保守時に特定の条件を満たすことで、乗場釦灯が点灯している状態で乗場釦を押した場合に乗場釦灯を消灯させる機能を持たせたエレベータ乗場釦点検装置に関するものである。
【背景技術】
【０００２】
現行のマルチカーエレベータ装置においては、エレベータの乗場押し釦の接触確認は、乗場押し釦の押しに反応して、乗場押し釦灯が点灯することで確認している。この確認の際には、点検前に一般利用者が他号機の呼びを作っていた場合は他号機が到着して乗場押し釦灯が消灯するまで待つ必要があった。そのため、発明者は、エレベータ保守時に乗場押し釦灯を点灯させる点検モード機能を付加することにより、運転方向保持時であっても、保持した運転方向と同方向の乗場押し釦灯の点灯点検を可能にしたエレベータ装置及びエレベータの保守方法を提案している（例えば、非特許文献１参照）。
【０００３】
【非特許文献１】特願２００５−８５５６
【発明の開示】
【発明が解決しようとする課題】
【０００４】
上記非特許文献１の未公開先行出願に記載されたものでは、乗場呼び登録に３秒以上の押し下げが必要となり、乗場呼び登録動作が通常操作と異なるために、使用者が混乱する等の問題が考えられる。そのため、乗場呼び登録は通常の動作、すなわち乗場押し釦を押すだけで行えて、かつ乗場押し釦灯の点灯時にも押し釦の接触不良を確認できるものが要求される。
【０００５】
この発明は、上述のような課題を解決するためになされたもので、エレベータ保守時に特定の条件を満たすことで、乗場釦灯が点灯している状態で乗場釦を押した場合に乗場釦灯を消灯させる機能を持たせ、マルチカーエレベータ等で乗場釦を点検する階で乗場釦が点灯している状態でも、乗場釦の接触不良確認をすることができるエレベータ乗場釦点検装置を提供するものである。
【課題を解決するための手段】
【０００６】
この発明に係るエレベータの乗場釦点検装置においては、乗場呼び釦と、乗場呼び釦が操作されると乗場呼びを登録し、乗場呼びが登録されると乗場呼び釦灯を点灯するエレベータ制御部と、保守時にエレベータ制御部にアクセスして乗場呼び釦灯の点検モードに設定するモード設定装置とを備え、モード設定装置により乗場呼び釦灯の点検モードに設定されたエレベータ保守時に特定の条件を満たすことで、乗場呼び釦灯が点灯している状態で乗場呼び釦を操作した場合に乗場呼び釦灯を消灯させるものである。
【発明の効果】
【０００７】
この発明によれば、エレベータ保守時に特定の条件を満たすことで、乗場釦灯が点灯している状態で乗場釦を押した場合に乗場釦灯を消灯させる機能を持たせ、マルチカーエレベータ等で乗場釦を点検する階で乗場釦が点灯している状態でも、乗場釦の接触不良確認をすることができる。
【発明を実施するための最良の形態】
【０００８】
実施の形態１．
図１はこの発明の実施の形態１におけるエレベータの乗場釦点検装置の概略構成を示すシステム構成図、図２はこの発明の実施の形態１におけるエレベータの乗場釦点検装置の乗場上り呼び押し釦を押した時の動作フローを示すフローチャートである。
【０００９】
図において、１はエレベータ制御盤、２はエレベータ制御部、３はエレベータ制御部２にアクセスして乗場押し釦灯点検モードに設定するモード設定装置である。このモード設定装置３は、エレベータ制御盤１に内蔵して設けてもよいし、また例えば携帯型保守制御装置（メンテナンスコントローラ）に内蔵しておき、保守時に携帯型保守制御装置をエレベータ制御部２に接続してモード選択できる外付け式のものであってもよい。４は押し釦信号入力部、５は押し釦点灯信号出力部、６は各階乗場に設けられた各階乗場押し釦、７は乗場上り呼び押し釦で、その背面側に乗場上り呼びを登録する乗場押し釦灯（図示せず）を備えている。８は乗場下り呼び押し釦で、その背面側に乗場下り呼びを登録する乗場押し釦灯（図示せず）を備えている。９は独立モード（保守時に使う、乗場呼びに応答しなくなるモード）号機エレベータ、１０は通常モード号機エレベータである。
図１はエレベータ装置の信号の流れを示しており、各階乗場押し釦６に設けられた乗場上り呼び押し釦７や乗場下り呼び押し釦８の呼び登録信号は、押し釦信号入力部４を通して、エレベータ制御盤１内のエレベータ制御部２に入力される。エレベータ制御部２はエレベータの運転方向に合わせて押し釦点灯信号出力部５を通して、押し釦灯の点灯信号を乗場上り押し釦７や乗場下り押し釦８に伝送している。
【００１０】
次に、エレベータ装置の乗場上り呼び押し釦を操作した場合の動作フローについて、図２を用いて説明する。
この発明の乗場押し釦点検モードを行うためには以下の条件が必要である。一つ目の条件は、モード設定装置３にてエレベータ制御部２にアクセスして乗場押し釦灯の点検モードに設定する必要がある。モード設定装置３は、エレベータ制御盤１に内蔵して設けてもよいが、例えば携帯型保守制御装置（メンテナンスコントローラ）に内蔵しておき、保守時に携帯型保守制御装置をエレベータ制御部２に接続してモード選択できる外付け式にした場合は、既設のエレベータに対しても、モード選択装置を内蔵した携帯型保守制御装置を接続するだけで、この発明を容易に実施することができる。また、二つ目の条件は、独立モード（保守時に使う、乗場呼びに応答しなくなるモード）号機のエレベータ９が停止している階であることである。
以上の条件を満たした場合に、乗場上り呼び押し釦７を押した時の動作が図２のフローチャートである。エレベータが上り呼びを持っていない（乗場上り呼び押し釦７の押し釦灯が点灯していない）状態で、乗場上り呼び押し釦７を押すと、上り呼び登録が行われ、乗場上り呼び押し釦７の押し釦灯が点灯する（ステップＳＴ１→ＳＴ２→ＳＴ３）。これにより、先に提案した非特許文献１の未公開先行出願とは異なり、利用者が特殊な操作をしなくても乗場上り呼び登録を行うことができる。
【００１１】
次に、乗場上り呼び押し釦７の押し釦灯が既に点灯している状態（例えば、一般利用客等が点検前に乗場上り呼び押し釦７を押している場合等）で、乗場上り呼び押し釦を押した時（ステップＳＴ１）、乗場上り呼び押し釦７の押し釦灯は消灯する（ステップＳＴ４）。この際、上り呼び登録は行われない。続いて、ステップＳＴ５に進み、乗場上り呼び押し釦７の押下時間が例えば３秒を越えずに押し下げを止めた場合は、上り呼び登録の解除は行われず、乗場上り呼び押し釦７の押し釦灯は再点灯する（ステップＳＴ７）。
また、上記ステップＳＴ５で乗場上り呼び押し釦７の押下時間が例えば３秒を越えた場合は、上り呼び登録の解除が行われ、押し下げを止めても乗場上り呼び押し釦７の押し釦灯は再点灯しない（ステップＳＴ６）。
【００１２】
すなわち、保守点検時と一般利用者が行う動作は以下の通りになる。
一般利用者が乗場上り呼び登録を行う動作は、ステップＳＴ１→ＳＴ２→ＳＴ３のように、通常と同じ動作で乗場上り呼び登録を行うことができる。
保守員が乗場上り呼び押し釦７を点検する動作で、点検前に乗場上り呼びが無かった場合は、ステップＳＴ１→ＳＴ２→ＳＴ３のように、乗場上り呼び押し釦７を押すことにより、押し釦灯が点灯することで乗場上り呼び押し釦の点検を行うことができる。上記操作により、作ってしまった上り呼び登録を解除する場合は、ステップＳＴ１→ＳＴ２→ＳＴ４→ＳＴ５→ＳＴ６により、上り呼び登録を解除する。
また、保守員が乗場上り呼び押し釦７を点検する動作で、点検前に乗場上り呼びがあった場合は、ステップＳＴ１→ＳＴ２→ＳＴ４→ＳＴ５→ＳＴ７により、乗場上り呼び押し釦７を押すことにより、押し釦灯が消灯することで乗場上り呼び押し釦の点検を行うことができる。
【００１３】
なお、以上の説明は乗場上り呼び押し釦７を操作した場合の動作について説明したが、乗場下り呼び押し釦８を操作した場合の動作も、ほぼ同様の動作であるので説明を省略する。
【図面の簡単な説明】
【００１４】
【図１】この発明の実施の形態１におけるエレベータの乗場釦点検装置の概略構成を示すシステム構成図である。
【図２】この発明の実施の形態１におけるエレベータの乗場釦点検装置の乗場上り呼び押し釦を押した時の動作フローを示すフローチャートである。
【符号の説明】
【００１５】
１  エレベータ制御盤
２  エレベータ制御部
３  モード設定装置
４  押し釦信号入力部
５  押し釦点灯信号出力部
６  各階乗場押し釦
７  乗場上り呼び押し釦
８  乗場下り呼び押し釦
９  独立モード号機エレベータ
１０  通常モード号機エレベータ
【図１】
2007153479.tif 000003
【図２】
2007153479.tif 000004